(57)【要約】【課題】ネットワーク環境を活かし、ネットワークに接続された各装置間でのデータの有効活用を実現し、従来に増して柔軟で拡張性に富んだ画像処理装置および画像処理システムを提供することである。【解決手段】原稿から画像を読取る画像読取手段を有する画像処理装置１において、画像データを入力しラスタ画像を出力するラスタライザを備えたことを特徴とする。【選択図】  図１
2004186867.tif 000002
【特許請求の範囲】
【請求項１】
原稿から画像を読取る画像読取手段を有する画像処理装置において、画像データを入力しラスタ画像を出力するラスタライザを備えたことを特徴とする画像処理装置。
【請求項２】
前記画像データが、前記画像読取手段によって原稿画像を読み取って得たスキャナデータであることを特徴とする請求項１に記載の画像処理装置。
【請求項３】
ネットワークに接続するネットワークインターフェースをさらに備え、前記画像データが、前記ネットワークを介して入力されたＰＤＬデータであることを特徴とする請求項１に記載の画像処理装置。
【請求項４】
原稿から画像を読取る画像読取手段と、ネットワークに接続するネットワークインターフェースと、前記画像読取手段によって原稿画像を読み取って得たスキャナデータおよび前記ネットワークを介して入力されたＰＤＬデータのどちらをも同一のフォーマットの汎用画像フォーマットデータに変換する汎用画像フォーマット変換手段とを備えたことを特徴とする画像処理装置。
【請求項５】
前記汎用画像フォーマット変換手段によって変換した汎用画像フォーマットデータを記憶する汎用画像フォーマットデータ記憶手段をさらに備えたことを特徴とする請求項４に記載の画像形成装置。
【請求項６】
画像処理装置と画像印刷装置と情報処理装置と画像記憶装置とがネットワークに接続されて構成される画像処理システムにおいて、
前記画像処理装置が、原稿から画像を読取る画像読取手段と、前記ネットワークに接続するネットワークインターフェースと、前記画像読取手段によって原稿画像を読み取って得たスキャナデータおよび前記ネットワークを介して入力されたＰＤＬデータのどちらをも同一の汎用画像フォーマットの汎用画像フォーマットデータに変換する汎用画像フォーマット変換手段とを有し、
前記画像印刷装置が、前記ネットワークに接続するネットワークインターフェースと、前記汎用画像フォーマットの汎用画像フォーマットデータを印刷する汎用画像フォーマットデータ印刷手段とを有し、
前記情報処理装置が、前記ネットワークに接続するネットワークインターフェースと、前記汎用画像フォーマットの汎用画像フォーマットデータを表示する表示手段とを有し、
前記画像記憶装置が、前記ネットワークに接続するネットワークインターフェースと、前記汎用画像フォーマットの汎用画像フォーマットデータを記憶する汎用画像フォーマットデータ記憶手段とを有する
ことを特徴とする画像処理システム。
【発明の詳細な説明】
【０００１】
【発明の属する技術分野】
本発明は画像処理装置および画像処理システムに関し、詳しくは画像読取手段を有する画像処理装置およびこの画像処理装置と画像印刷装置や情報処理装置等とがネットワークで接続されて成る画像処理システムに関する。
【０００２】
【従来の技術】
従来から、画像が記録された原稿から画像を読取ってスキャナデータを得る画像読取手段を有するとともに、このスキャナデータに対して様々な画像処理を施す画像処理手段を備えたスキャナ装置等の画像処理装置が知られている。
【０００３】
また、ネットワークスキャナのようにこの画像処理装置をネットワークに接続することによって、同じネットワークに接続されたプリンタ等の画像印刷装置やパソコン等の情報処理装置との間で通信するネットワーク環境の画像処理システムが知られている。
【０００４】
このような画像処理システムでは、そのネットワーク環境を活かし、各装置の間でのデータの有効活用が望まれる。
【０００５】
たとえば、特許文献１に記載された「印刷装置及びネットワーク印刷システム」では、クライアントコンピュータとネットワーク接続された印刷装置において、クライアントコンピュータから送られてきたＰＤＬ（アプリケーションプログラムまたはプリンタドライバと呼ばれるソフトウェアによって印刷装置が解釈できるページ記述言語（Ｐａｇｅ  Ｄｅｓｃｒｉｐｔｉｏｎ  Ｌａｎｇｕａｇｅ））データを汎用印刷形式データ（ＰＤＦ（Ｐｏｒｔａｂｌｅ  ＤｏｃｕｍｅｎｔＦｏｒｍａｔ；米国Ａｄｏｂｅ  Ｓｙｓｔｅｍｓ社がデジタル書類によるコミュニケーションを実現するために開発したファイル形式）、ポストスクリプト）に変換し、さらにピクセルマップデータに変換する制御部と、汎用印刷形式データを記憶する記憶装置と、ピクセルマップデータが展開される画像メモリと、ピクセルマップデータを用紙に印刷する印刷エンジンとを備え、汎用印刷形式データを、外部のコンピュータからもネットワークを経由して読み出して、表示や再印刷に利用することができるようにしている。
【０００６】
また、特許文献２に記載された「画像入力装置及び画像入力方法」では、画像データ生成部で得られた画像データをデータ変換部において出力先のプリンタに適合したプリンタドライバを用いて印刷データに変換し、出力部を介してネットワークプリンタあるいはローカルプリンタのいずれかに出力できるようにし、ネットワークスキャナ側で画像データを印刷データに変換することによって、クライアントＰＣを介さずにコピーをとることができ、操作が簡略化されるとともにネットワーク上のトラフィックを増やさずにスキャナーを用いてコピーをとるができるようにしている。
【０００７】
【特許文献１】
特開２００１−２７０１６７号公報
【特許文献２】
特開平１０−２９０３２０号公報
【発明が解決しようとする課題】
ところが、上述の従来技術においては、以下のような問題があった。
【０００８】
すなわち、特許文献１に記載された「印刷装置及びネットワーク印刷システム」では、対応するデータをＰＤＬデータに限定しており、汎用性を欠き拡張性に乏しいという問題があった。さらに、この従来技術では、汎用印刷形式データを必ず送信元であるクライアントＰＣへ送信するため、ネットワークのトラフィック増大を招いてしまうとともに、これが印刷指示者の意思に関わらず送信されて来てしまうため、かえって手間がかかることも考えられる。
【０００９】
また、特許文献２に記載された「画像入力装置及び画像入力方法」では、変換した印刷データを記憶しておく記憶装置がないため、同じ画像を出力する場合であっても、再度、入力および変換が必要となり、一度作成したデータを有効活用することができず、また印刷装置に依存した印刷データのためネットワークに接続されたパソコン等での参照することもできない。さらに、この従来技術では、スキャナデータの一元管理のみしか行うことができず、拡張性に乏しい。
【００１０】
本発明は上記の点にかんがみてなされたもので、ネットワーク環境を活かし、ネットワークに接続された各装置間でのデータの有効活用を実現し、従来に増して柔軟で拡張性に富んだ画像処理装置および画像処理システムを提供することを目的とする。
【００１１】
【課題を解決するための手段】
本発明は上記の目的を達成するために、原稿から画像を読取る画像読取手段を有する画像処理装置において、画像データを入力しラスタ画像を出力するラスタライザを備えたことを特徴とする。
【００１２】
また本発明は、請求項１に記載の発明において、前記画像データが、前記画像読取手段によって原稿画像を読み取って得たスキャナデータであることを特徴とする。
【００１３】
また本発明は、請求項１に記載の発明において、ネットワークに接続するネットワークインターフェースをさらに備え、前記画像データが、前記ネットワークを介して入力されたＰＤＬデータであることを特徴とする。
【００１４】
また本発明は、画像処理装置であって、原稿から画像を読取る画像読取手段と、ネットワークに接続するネットワークインターフェースと、前記画像読取手段によって原稿画像を読み取って得たスキャナデータおよび前記ネットワークを介して入力されたＰＤＬデータのどちらをも同一のフォーマットの汎用画像フォーマットデータに変換する汎用画像フォーマット変換手段とを備えたことを特徴とする。
【００１５】
また本発明は、請求項４に記載の発明において、前記汎用画像フォーマット変換手段によって変換した汎用画像フォーマットデータを記憶する汎用画像フォーマットデータ記憶手段をさらに備えたことを特徴とする。
【００１６】
また本発明は、画像処理装置と画像印刷装置と情報処理装置と画像記憶装置とがネットワークに接続されて構成される画像処理システムにおいて、前記画像処理装置が、原稿から画像を読取る画像読取手段と、前記ネットワークに接続するネットワークインターフェースと、前記画像読取手段によって原稿画像を読み取って得たスキャナデータおよび前記ネットワークを介して入力されたＰＤＬデータのどちらをも同一の汎用画像フォーマットの汎用画像フォーマットデータに変換する汎用画像フォーマット変換手段とを有し、前記画像印刷装置が、前記ネットワークに接続するネットワークインターフェースと、前記汎用画像フォーマットの汎用画像フォーマットデータを印刷する汎用画像フォーマットデータ印刷手段とを有し、前記情報処理装置が、前記ネットワークに接続するネットワークインターフェースと、前記汎用画像フォーマットの汎用画像フォーマットデータを表示する表示手段とを有し、前記画像記憶装置が、前記ネットワークに接続するネットワークインターフェースと、前記汎用画像フォーマットの汎用画像フォーマットデータを記憶する汎用画像フォーマットデータ記憶手段とを有することを特徴とする。
【００１７】
【発明の実施の形態】
以下、本発明の実施の形態を図面を参照して説明する。
【００１８】
図１は、本発明による画像処理装置およびその画像処理装置を有する画像処理システムの一実施の形態の構成を示すブロック図である。
【００１９】
図１に示すように、本実施の形態の画像処理システムは、画像処理装置１と、画像印刷装置２と、画像記憶装置３と、情報処理装置４と、情報処理装置５とをネットワーク６で接続して構成される。また、画像処理装置１と情報処理装置４とはローカル接続線７によってローカル接続されている。情報処理装置４、５としてはたとえばパソコンを用いることができ、画像記憶装置３は同様にパソコンでもよく、いわゆるデータベースサーバーとして用いられる。
【００２０】
画像処理装置１は、後述の図２に示すように、画像が記録された原稿から画像を読取ってスキャナデータを出力するスキャナ部１１を有し、画像印刷装置２は、後述の図３に示すように、用紙に画像形成する画像形成部２６を有する。この画像処理装置１と画像印刷装置２とは一体化して用いることもでき、この場合には、ディジタル複写機等の画像形成装置としての機能を実現することができる。
【００２１】
図２は、図１に示した画像処理装置１の構成を示すブロック図である。
【００２２】
図２に示すように、画像処理装置１は、ユーザに対して情報表示を行ったりユーザが操作入力するための操作部１０と、原稿から画像を読み取ってスキャナデータを出力するスキャナ部１１と、スキャナ部１１からのスキャナデータをＰＤＬデータに変換する画像変換部１２と、ローカル接続線７とのインターフェースとなるローカル接続Ｉ／Ｆ部１３と、ネットワーク６とのインターフェースとなるネットワークＩ／Ｆ部１４と、ローカル接続Ｉ／Ｆ部１３やネットワークＩ／Ｆ部１４を介して入力されたＰＤＬデータを一時記憶するスプール部１５と、画像変換部１２からのＰＤＬデータや、スプール部１５からのＰＤＬデータをラスタライズし、さらにＰＤＦデータに変換する画像処理部１６と、画像処理部１６からのＰＤＦデータに付随して出力される処理情報を解釈する処理解釈部１７と、処理解釈部１７からのデータを記憶する記憶装置１８と、ネットワーク６におけるファイルサーバーとしての役割を果たすサーバー部１９とを有して構成される。
【００２３】
図１に示した形態の例では、画像処理装置１に対して、ローカル接続線７およびローカル接続Ｉ／Ｆ部１３を介しては、情報処理装置４からのデータが入力され、ネットワーク６およびネットワークＩ／Ｆ部１４を介しては、情報処理装置４および５、画像記憶装置３さらには画像印刷装置２からのデータが入力され得る。
【００２４】
画像処理装置１の画像処理部１６は、画像データをラスタライズしてラスタ画像を得るラスタライザとしての機能を有する。なお、本実施の形態においては、この画像処理部１６ではラスタライズしたラスタ画像をＰＤＦデータに変換するようにしているが、本発明はＰＤＦデータに限らず、汎用画像フォーマットデータに変換するものであればよい。汎用画像フォーマットとしては、ほかにポストスクリプト、ＴＩＦＦなどが挙げられ、一般に公開されているデータ形式であればよい。
【００２５】
次に、処理解釈部１７の動作について説明する。
【００２６】
スキャナ部１１によって画像データが入力された際には、ユーザが操作部１０によってその画像データに対して施すべき処理の内容を入力することができ、この入力された処理情報が画像データに付随して処理解釈部１７に入力されることになる。また、ローカル接続Ｉ／Ｆ部１３やネットワークＩ／Ｆ部１４を介して入力されたＰＤＬデータも画像データに対して施すべき処理の内容を含んでおり、この処理情報が画像データに付随して処理解釈部１７に入力されることになる。
【００２７】
この処理情報すなわち画像データに対して施すべき処理の内容としては、たとえば、画像を印刷する際に、用紙に穴あけを行うか、用紙にステイプルを行うか、複数の画像を１枚の用紙に割り付けて印刷するか（面付け）などが挙げられる。
【００２８】
処理解釈部１７では、画像データ（本実施の形態ではＰＤＦデータ）を画像ファイルとして記憶装置１８の画像フォルダ１８ａに保存し、処理情報を処理ファイルとして記憶装置１８の処理フォルダ１８ｂに保存する。なお、以下においては、このような画像ファイルと処理ファイルとの組み合わせを印刷ＪＯＢと呼ぶ。
【００２９】
なお、本実施の形態では、スキャナ部１１からのスキャナデータは、画像変換部１２によって一旦ＰＤＬデータに変換された後に、画像処理部１６によって汎用画像フォーマットデータ（ＰＤＦデータ）に変換するようにしているが、本発明はこれに限られるものではなく、ＰＤＬデータを経ずにスキャナデータから汎用画像フォーマットデータ（ＰＤＦデータ）に変換するようにしてもよい。
【００３０】
本実施の形態においては、上述のように、画像処理装置１が、原稿の画像を読み取る画像読取手段であるスキャナ部１１と、スキャナデータをＰＤＬデータに変換するスキャナデータ変換手段である画像変換部１２と、ＰＤＬデータを汎用画像フォーマットデータに変換するＰＤＬデータ変換手段である画像処理部１６と、汎用画像フォーマットデータを記録し、他に提供可能とするファイルサーバー手段である記憶装置１８およびサーバー部１９とを備えている。
【００３１】
ここで、画像変換部１２および画像処理部１６が、前記画像読取手段によって原稿画像を読み取って得たスキャナデータおよび前記ネットワークを介して入力されたＰＤＬデータのどちらをも同一のフォーマットの汎用画像フォーマットデータに変換する汎用画像フォーマット変換手段である。
【００３２】
図３は、図１に示した画像印刷装置２の構成を示すブロック図である。
【００３３】
図３に示すように、画像印刷装置２は、ユーザに対して情報表示を行ったりユーザが操作入力するための操作部２０と、ネットワーク６とのインターフェースとなるネットワークＩ／Ｆ部２１と、ネットワークＩ／Ｆ部２１を介して入力された画像ファイルおよび処理ファイルを記憶装置２３に保存する画像処理部２２と、画像ファイルを記憶する画像フォルダ２３ａと処理ファイルを記憶する処理フォルダ２３ｂとを有する記憶装置２３と、処理フォルダ２３ｂから処理ファイルを読み出してその処理を解釈する処理解釈部２４と、画像を形成する用紙を給紙する給紙部２５と、用紙に画像形成する画像形成部２６と、画像形成した用紙を外部に排紙する排紙部２７とを有して構成される。
【００３４】
画像処理部２２では、処理解釈部２４の出力に基づき、画像の面付け等を考慮して用紙に実際に画像形成するイメージを生成し、画像形成部２６ではこれに基づいて用紙に画像形成を行う。
【００３５】
この画像印刷装置２では、汎用画像フォーマットデータ（この実施の形態ではＰＤＦデータ）が入力される場合にだけ対応し、ＰＤＬデータ等の他の形式のデータには対応する必要がないため、その分コストを低減することができる。
【００３６】
図４は、図１に示した画像処理システムにおいて情報処理装置からのデータを印刷する場合の処理のフローチャートを示す図である。
【００３７】
情報処理装置４からのデータはローカル接続線７またはネットワーク６を介して、情報処理装置５からのデータはネットワーク６を介して画像処理装置１に転送される（Ａ−１）。これらのデータは情報処理装置４、５上で動作するアプリケーションおよびプリンタドライバによってＰＤＬデータにされたものであり、画像処理装置１ではこれを印刷ＪＯＢとして受け取る。
【００３８】
受信された印刷ＪＯＢはスプール部１５を経由して画像処理部１６に入力され、画像処理部１６および処理解釈部１７によって、汎用画像フォーマットデータ（この実施の形態ではＰＤＦデータ）である上述の画像ファイルと、処理要求、画像ファイルのファイル名、画像ファイルのファイルサイズ等を有する上述の処理ファイルとを作成し、画像ファイルは画像フォルダ１８ａに保存され、処理ファイルは処理フォルダ１８ｂに保存される（Ａ−２）。
【００３９】
続いて画像処理装置１では、処理フォルダ１８ｂに保存してある処理ファイルをＦＴＰ等の汎用ファイル転送プロトコルによって画像印刷装置２の処理フォルダ２３ｂに転送する（Ａ−３）。画像印刷装置２では、受信した処理ファイルによって、処理要求、画像ファイルのファイル名、画像ファイルのファイルサイズ等を認識する。
【００４０】
画像処理装置１では次に画像フォルダ１８ａに保存してある画像ファイルをやはりＦＴＰ等の汎用ファイル転送プロトコルによって画像印刷装置２の画像フォルダ２３ａに転送する（Ａ−４）。このとき、画像ファイルの記憶先として画像記憶装置３も指定されているような場合には、その画像記憶装置３にも画像ファイルを送信する。
【００４１】
画像印刷装置２は、画像フォルダ２３ａを監視し、先に受信した処理ファイルによって認識したファイル名の画像ファイルが、同じ処理ファイルによって認識したサイズ転送完了するのを待つ（Ａ−５）。
【００４２】
画像ファイルの転送が完了したならば、画像印刷装置２は、画像形成部２６によって、画像フォルダ２３ａの画像ファイルの画像を、処理フォルダ２３ｂの処理ファイルで指定された処理情報に基づいて用紙に画像印刷する（Ａ−６）。
【００４３】
次に、図５は、図１に示した画像処理システムにおいて画像処理装置が原稿画像を読み取り、それを保存する場合の処理のフローチャートを示す図である。
【００４４】
まずユーザが画像処理装置１のスキャナ部１１に読み取る原稿をセットし、操作部１０によって、読み取り保存の指示を入力する。これを受けてスキャナ部１１ではセットされた原稿の画像を読み取りスキャナデータを取得する（Ｂ−１）。
【００４５】
続いて、画像処理装置１では、スキャナ部１１によって取りこまれたスキャナデータを画像変換部１２によってＰＤＬデータに変換し、さらに画像処理部１６によって汎用画像フォーマットデータ（ＰＤＦデータ）に変換し、これによって得られた画像ファイルを画像フォルダ１８ａに保存し、処理ファイルを処理フォルダ１８ｂに保存する（Ｂ−２）。
【００４６】
また、画像ファイルの記憶先として画像記憶装置３も指定されているような場合には、その画像記憶装置３にも画像ファイルを送信する（Ｂ−３）。
【００４７】
次に、図６は、図１に示した画像処理システムにおいて画像処理装置が原稿画像を読み取り、それを印刷する場合の処理のフローチャートを示す図である。
【００４８】
まずユーザが画像処理装置１のスキャナ部１１に読み取る原稿をセットし、操作部１０によって、読み取り保存の指示を入力する。これを受けてスキャナ部１１ではセットされた原稿の画像を読み取りスキャナデータを取得する（Ｃ−１）。
【００４９】
続いて、画像処理装置１では、スキャナ部１１によって取りこまれたスキャナデータを画像変換部１２によってＰＤＬデータに変換し、さらに画像処理部１６によって汎用画像フォーマットデータ（ＰＤＦデータ）に変換し、これによって得られた画像ファイルを画像フォルダ１８ａに保存し、処理ファイルを処理フォルダ１８ｂに保存する（Ｃ−２）。
【００５０】
続いて画像処理装置１では、処理フォルダ１８ｂに保存してある処理ファイルをＦＴＰ等の汎用ファイル転送プロトコルによって画像印刷装置２の処理フォルダ２３ｂに転送する（Ｃ−３）。画像印刷装置２では、受信した処理ファイルによって、処理要求、画像ファイルのファイル名、画像ファイルのファイルサイズ等を認識する。
【００５１】
画像処理装置１では次に画像フォルダ１８ａに保存してある画像ファイルをやはりＦＴＰ等の汎用ファイル転送プロトコルによって画像印刷装置２の画像フォルダ２３ａに転送する（Ｃ−４）。
【００５２】
画像印刷装置２は、画像フォルダ２３ａを監視し、先に受信した処理ファイルによって認識したファイル名の画像ファイルが、同じ処理ファイルによって認識したサイズ転送完了するのを待つ（Ｃ−５）。
【００５３】
画像ファイルの転送が完了したならば、画像印刷装置２は、画像形成部２６によって、画像フォルダ２３ａの画像ファイルの画像を、処理フォルダ２３ｂの処理ファイルで指定された処理情報に基づいて用紙に画像印刷する（Ｃ−６）。
【００５４】
ところで、本実施の形態の画像処理システムによれば、一度汎用画像フォーマットデータ（ＰＤＦデータ）に変換した画像データをネットワーク内に記憶してあるため、ＮＦＳ（Ｎｅｔｗｏｒｋ  Ｆｉｌｅ  Ｓｙｓｔｅｍ）などの共有フィルシステムを利用することによって、再度変換する手間もなく、閲覧や印刷を行うことができる。
【００５５】
すなわちユーザは、画像処理システムのネットワーク６に接続されたいずれかの装置の操作部を用いて、画像処理システム内のいずれかの装置に記憶された画像をそのまま閲覧したり、印刷することができる。このとき、操作部を有する装置には、汎用画像フォーマットデータをそのまま閲覧可能なアプリケーションプログラムがインストールされていればよい。たとえば、汎用画像フォーマットデータがＰＤＦデータの場合は、Ａｃｒｏｂａｔ  ｒｅａｄｅｒ、Ｉｌｌｕｓｔｒａｔｏｒ、Ｐａｇｅ  ｍａｋｅｒなどのアプリケーションプログラムによって対象ファイルの閲覧が可能となる。
【００５６】
図７は、図１に示した画像処理システムにおいて記憶済みの汎用画像フォーマットデータを閲覧する場合の処理のフローチャートを示す図である。
【００５７】
ユーザはたとえば情報処理装置４の操作部から画像の閲覧を指示する（Ｄ−１）。指定された画像ファイルは情報処理装置４に転送され（Ｄ−２）、情報処理装置４にインストールされたアプリケーションプログラムによって情報処理装置４の表示部に表示される（Ｄ−３）。
【００５８】
次に、図８は、図１に示した画像処理システムにおいて記憶済みの汎用画像フォーマットデータを印刷する場合の処理のフローチャートを示す図である。
【００５９】
ユーザはたとえば情報処理装置４の操作部から画像の印刷を指示する（Ｅ−１）。
【００６０】
ここでは、印刷指示された画像が画像処理装置１の記憶装置１８に記憶されているものである場合について説明する。
【００６１】
情報処理装置４から画像印刷の指示を受けた画像処理装置１では、処理フォルダ１８ｂに保存してある処理ファイルをＦＴＰ等の汎用ファイル転送プロトコルによって画像印刷装置２の処理フォルダ２３ｂに転送する（Ｅ−２）。画像印刷装置２では、受信した処理ファイルによって、処理要求、画像ファイルのファイル名、画像ファイルのファイルサイズ等を認識する。
【００６２】
画像処理装置１では次に画像フォルダ１８ａに保存してある画像ファイルをやはりＦＴＰ等の汎用ファイル転送プロトコルによって画像印刷装置２の画像フォルダ２３ａに転送する（Ｅ−３）。
【００６３】
画像印刷装置２は、画像フォルダ２３ａを監視し、先に受信した処理ファイルによって認識したファイル名の画像ファイルが、同じ処理ファイルによって認識したサイズ転送完了するのを待つ（Ｅ−４）。
【００６４】
画像ファイルの転送が完了したならば、画像印刷装置２は、画像形成部２６によって、画像フォルダ２３ａの画像ファイルの画像を、処理フォルダ２３ｂの処理ファイルで指定された処理情報に基づいて用紙に画像印刷する（Ｅ−５）。
【００６５】
【発明の効果】
以上説明したように、本発明によれば、ネットワーク環境を活かし、ネットワークに接続された各装置間でのデータの有効活用を実現し、従来に増して柔軟で拡張性に富んだ画像処理装置および画像処理システムを提供することができる。
【００６６】
また本発明によれば、スキャナ部を有する画像処理装置において他形式のデータから汎用画像フォーマットデータへの変換を行うため、ＰＤＬデータやスキャナデータをそれぞれ別形式のデータであることを意識せず、同一のデータとして扱うことができる。
【００６７】
また本発明によれば、他形式のデータを汎用画像フォーマットデータへ変換するため、その画像をネットワーク接続された他の装置からも容易に参照可能とすることができる。
【００６８】
また本発明によれば、汎用画像フォーマットデータを記憶装置に保存しておくことができるため、同一のデータを印刷する場合に保存されているデータを再利用することによって印刷時間を短くすることができる（汎用画像フォーマットデータへの変換時間が不要となる）。
【図面の簡単な説明】
【図１】本発明による画像処理装置およびその画像処理装置を有する画像処理システムの一実施の形態の構成を示すブロック図である。
【図２】図１に示した画像処理装置の構成を示すブロック図である。
【図３】図１に示した画像印刷装置の構成を示すブロック図である。
【図４】図１に示した画像処理システムにおいて情報処理装置からのデータを印刷する場合の処理のフローチャートを示す図である。
【図５】図１に示した画像処理システムにおいて画像処理装置が原稿画像を読み取り、それを保存する場合の処理のフローチャートを示す図である。
【図６】図１に示した画像処理システムにおいて画像処理装置が原稿画像を読み取り、それを印刷する場合の処理のフローチャートを示す図である。
【図７】図１に示した画像処理システムにおいて記憶済みの汎用画像フォーマットデータを閲覧する場合の処理のフローチャートを示す図である。
【図８】図１に示した画像処理システムにおいて記憶済みの汎用画像フォーマットデータを印刷する場合の処理のフローチャートを示す図である。
【符号の説明】
１  画像処理装置
２  画像印刷装置
３  画像記憶装置
４、５  情報処理装置
６  ネットワーク
１０  操作部
１１  スキャナ部
１２  画像変換部
１３  ローカル接続Ｉ／Ｆ部
１４  ネットワークＩ／Ｆ部
１５  スプール部
１６  画像処理部
１７  処理解釈部
１８  記憶装置
１８ａ  画像フォルダ
１８ｂ  処理フォルダ
１９  サーバー部
２０  操作部
２１  ネットワークＩ／Ｆ部
２２  画像処理部
２３  記憶装置
２３ａ  画像フォルダ
２３ｂ  処理フォルダ
２４  処理解釈部
２５  給紙部
２６  画像形成部
２７  排紙部
【図１】
2004186867.tif 000003
【図２】
2004186867.tif 000004
【図３】
2004186867.tif 000005
【図４】
2004186867.tif 000006
【図５】
2004186867.tif 000007
【図６】
2004186867.tif 000008
【図７】
2004186867.tif 000009
【図８】
2004186867.tif 000010